(57)【特許請求の範囲】
【請求項１】
通信ネットワークを介してサーバと端末装置との間で通信を行う情報通信システムにおいて、
前記サーバと前記端末装置との間での通信に用いられたアクセスポイントを認識する認識手段と、
前記認識手段により認識された前記アクセスポイントが存在する位置に関する情報を前記端末装置に向けて送信する送信手段と、
を備え、
前記端末装置は、前記送信手段により送信された前記アクセスポイントが存在する位置に関する情報に応じた制御を実行する制御手段と、
検索画面を表示する表示手段と、
を備え、
前記アクセスポイントが存在する位置に関する情報は前記アクセスポイントに対応する近傍地域の天気情報であり、前記天気情報は前記検索画面に相当する検索画面情報を含み、
前記制御手段は、前記送信手段により送信された前記アクセスポイントが存在する位置に関する情報に応じた前記検索画面を表示するように前記表示手段を制御し、
更に前記表示された検索画面に基づく検索操作に用いられる検索操作手段と、
前記検索操作手段の操作に従った検索処理を実行する検索処理実行手段と、
を備えることを特徴とする情報通信システム。
【請求項２】
前記制御手段は、前記送信手段により送信されてきた前記アクセスポイントの周辺の地域に関する前記検索画面が表示されるように前記表示手段を制御し、前記検索が行われた後に前記検索された天気情報を表示することを特徴とする請求項１に記載の情報通信システム。
【請求項３】
通信ネットワークを介して、サーバと、検索画面を表示する表示手段を備える端末装置との間で通信を行う情報通信方法において、
前記サーバと前記端末装置との間での通信に用いられたアクセスポイントを認識する認識手順と、
前記認識手順により認識された前記アクセスポイントが存在する位置に関する情報を前記端末装置に向けて送信する送信手順と、
前記端末装置側にて、前記送信手順により送信された前記アクセスポイントが存在する位置に関する情報に応じた制御を実行する制御手順と、
を備え、
前記アクセスポイントが存在する位置に関する情報は前記アクセスポイントに対応する近傍地域の天気情報であり、前記天気情報は前記検索画面に相当する検索画面情報を含み、
前記制御手順では、前記送信手順により送信された前記アクセスポイントが存在する位置に関する情報に応じた前記検索画面を表示するように前記表示手段を制御し、
更に前記表示された検索画面に基づく検索操作に用いられる検索操作手順と、
前記検索操作手順の操作に従った検索処理を実行する検索処理実行手順と、
を備えることを特徴とする情報通信方法。
【請求項４】
前記制御手順では、前記送信手順により送信された前記アクセスポイントの周辺の地域に関する検索画面が表示されるように前記表示手段を制御し、前記検索が行われた後に前記検索された天気情報を表示することを特徴とする請求項３に記載の情報通信方法。
【請求項５】
通信ネットワークを介してサーバと端末装置との間で通信を行う情報通信方法に用いられる前記端末装置において、
前記サーバにより認識されたアクセスポイントが存在する位置に関する情報を前記サーバから受信する受信手段と、
前記受信手段により受信された前記アクセスポイントが存在する位置に関する情報に応じた制御を実行する制御手段と、
前記サーバにより送信された前記アクセスポイントが存在する位置に関する情報に応じた検索画面を表示する表示手段と、
を備え、
前記アクセスポイントが存在する位置に関する情報は前記アクセスポイントに対応する近傍地域の天気情報であり、前記天気情報は前記検索画面に相当する検索画面情報を含み、
前記制御手段では、前記検索画面を表示するように前記表示手段を制御し、
更に前記表示された検索画面に基づく検索操作に用いられる検索操作手段と、
前記検索操作手段の操作に従った検索処理を実行する検索処理実行手段と、
を備えることを特徴とする端末装置。
【請求項６】
前記制御手段では、前記サーバにより送信された前記アクセスポイントの周辺の地域に関する検索画面が表示されるように前記表示手段を制御し、前記検索が行われた後に前記検索された天気情報を表示することを特徴とする請求項５に記載の端末装置。
【発明の詳細な説明】
【０００１】
【発明の属する技術分野】
本発明は、通信ネットワークを介してサーバと端末装置との間で通信を行う情報通信システムに関し、とくに端末装置において適切な処理を実行できる情報通信システムに関する。
【０００２】
【従来の技術】
携帯型電話機やＰＤＡ等の携帯型端末装置を用いて、インターネットを介して接続されたサーバから、例えば、地図データや天気情報等を獲得する情報通信システムが知られている。端末装置を使用するユーザは、端末装置に表示された検索画面に従って所定の操作を行うことにより、地図や天気情報等を表示させる地域を絞り込むことができる。
【０００３】
【発明が解決しようとする課題】
しかし、従来の情報通信システムでは、端末装置の位置と無関係に検索画面を表示するように構成されているため、システムとして予め設定され、あるいはユーザによって定められた検索画面が常に表示される。例えば、地図データを検索するための最初の検索画面として、ユーザが関東地方の検索画面を設定している場合には、端末装置を関西地方で使用した場合であっても検索画面として関東地方の画面が最初に表示されることになる。このため、ユーザが現在位置周辺の地図を見たいと思ったときに、必要な地図データを獲得するまでに煩雑な操作が要求されるという問題がある。
【０００４】
本発明は、端末装置を使用する地域に応じた適切な処理を行うことができる情報通信システム、情報通信方法および端末装置を提供することを目的とする。
【０００５】
【課題を解決するための手段】
本発明の情報通信システムは、通信ネットワークを介してサーバと端末装置との間で通信を行う情報通信システムにおいて、前記サーバと前記端末装置との間での通信に用いられたアクセスポイントを認識する認識手段と、前記認識手段により認識された前記アクセスポイントが存在する位置に関する情報を前記端末装置に向けて送信する送信手段と、を備え、前記端末装置は、前記送信手段により送信された前記アクセスポイントが存在する位置に関する情報に応じた制御を実行する制御手段と、前記検索画面を表示する表示手段と、を備え、前記アクセスポイントが存在する位置に関する情報は前記アクセスポイントに対応する近傍地域の天気情報であり、前記天気情報は前記検索画面に相当する検索画面情報を含み、前記制御手段は、前記送信手段により送信されてきた前記アクセスポイントが存在する位置に関する情報に応じた前記検索画面を表示するように前記表示手段を制御し、更に前記表示された検索画面に基づく検索操作に用いられる検索操作手段と、前記検索操作手段の操作に従った検索処理を実行する検索処理実行手段と、を備える。
【０００６】
この情報通信システムによれば、認識されたアクセスポイントが存在する位置に関する情報を端末装置に向けて送信し、端末装置は、送信手段により送信されたアクセスポイントが存在する位置に関する情報に応じた制御を実行し、送信手段により送信されたアクセスポイントが存在する位置に関する情報に応じた検索画面が表示され、アクセスポイントが存在する位置に関する情報は前記アクセスポイントに対応する近傍地域の天気情報であり、天気情報は検索画面に相当する検索画面情報を含み、この端末装置は、更に検索画面に基づく検索操作に用いられ、検索操作に従った検索処理を実行するので、端末装置を使用する地域にかかわりなく、端末装置では常にその地域に適した処理が実行される。したがって、ユーザに対し煩雑な操作を要求することなく、必要な情報を提供できる。
【０００９】
制御手段は、送信手段により送信されてきたアクセスポイントの周辺の地域に関する検索画面が表示されるように表示手段を制御してもよい。
【００１０】
この場合には、端末装置を使用する地域にかかわりなく、端末装置では常にその地域に関する検索画面が表示される。
【００１１】
本発明の情報通信方法は、通信ネットワークを介して、サーバと、検索画面を表示する表示手段を備える端末装置との間で通信を行う情報通信方法において、前記サーバと前記端末装置との間での通信に用いられたアクセスポイントを認識する認識手順と、前記認識手順により認識された前記アクセスポイントが存在する位置に関する情報を前記端末装置に向けて送信する送信手順と、前記端末装置側にて、前記送信手順により送信された前記アクセスポイントが存在する位置に関する情報に応じた制御を実行する制御手順と、を備え、前記アクセスポイントが存在する位置に関する情報は前記アクセスポイントに対応する近傍地域の天気情報であり、前記天気情報は前記検索画面に相当する検索画面情報を含み、前記制御手順では、前記送信手順により送信されてきた前記アクセスポイントが存在する位置に関する情報に応じた前記検索画面を表示するように前記表示手段を制御し、更に前記表示された検索画面に基づく検索操作に用いられる検索操作手順と、前記検索操作手順の操作に従った検索処理を実行する検索処理実行手順と、を備える。
【００１２】
この情報通信方法によれば、認識されたアクセスポイントが存在する位置に関する情報を端末装置に向けて送信し、端末装置は、送信手順により送信されたアクセスポイントが存在する位置に関する情報に応じた制御を実行し、送信手順により送信されてきたアクセスポイントが存在する位置に関する情報に応じた検索画面が表示され、アクセスポイントが存在する位置に関する情報はアクセスポイントに対応する近傍地域の天気情報であり、天気情報は検索画面に相当する検索画面情報を含み、更に検索画面に基づく検索操作に用いられ、検索操作に従った検索処理を実行するので、端末装置を使用する地域にかかわりなく、端末装置では常にその地域に適した処理が実行される。
【００１５】
制御手順では、送信手順により送信されてきたアクセスポイントの周辺の地域に関する検索画面が表示されるように表示手段を制御してもよい。
【００１６】
この場合には、端末装置を使用する地域にかかわりなく、端末装置では常にその地域に関する検索画面が表示される。
【００１７】
本発明の端末装置は、通信ネットワークを介してサーバと端末装置との間で通信を行う情報通信方法に用いられる端末装置において、前記サーバにより認識されたアクセスポイントが存在する位置に関する情報を前記サーバから受信する受信手段と、前記受信手段により受信された前記アクセスポイントが存在する位置に関する情報に応じた制御を実行する制御手段と、前記サーバにより送信された前記アクセスポイントが存在する位置に関する情報に応じた検索画面を表示する表示手段と、を備え、前記アクセスポイントが存在する位置に関する情報は、前記アクセスポイントに対応する近傍地域の天気情報であり、前記天気情報は前記検索画面に相当する検索画面情報を含み、前記制御手段は、前記検索画面を表示するように前記表示手段を制御し、更に前記表示された検索画面に基づく検索操作に用いられる検索操作手段と、前記検索操作手段の操作に従った検索処理を実行する検索処理実行手段と、を備える。
【００１８】
この端末装置によれば、端末装置は、受信手段により受信されてきたアクセスポイントが存在する位置に関する情報に応じた制御を実行し、前記受信手段により受信されたアクセスポイントが存在する位置に関する情報に応じた検索画面を表示し、アクセスポイントが存在する位置に関する情報はアクセスポイントに対応する近傍地域の天気情報であり、天気情報は検索画面に相当する検索画面情報を含み、更に検索画面に基づく検索操作に用いられ、検索操作に従った検索処理を実行するので、端末装置を使用する地域にかかわりなく、端末装置では常にその地域に適した処理が実行される。
【００２１】
制御手順では、送信手順により送信されてきたアクセスポイントの周辺の地域に関する検索画面が表示されるように表示手段を制御してもよい。
【００２２】
この場合には、端末装置を使用する地域にかかわりなく、端末装置では常にその地域に関する検索画面が表示される。
【００２３】
【発明の実施の形態】
次に、本発明に好適な実施の形態について、図面に基づいて説明する。
【００２４】
なお、以下に説明する実施の形態は、携帯型電話機やＰＤＡ（Personal Digital Assistant）等の携帯型端末装置と、インターネット等のネットワークを介して当該端末装置と接続されたサーバと、当該ネットワークと、を含む情報通信システムに対して本発明を適用した場合の実施の形態である。
【００２５】
図１は本実施形態の情報通信システムの全体構成を示すブロック図、図２は端末装置の構成を示すブロック図である。
【００２６】
図１に示すように、本実施形態の情報通信システムは、地図データを記憶する地図サーバＳＶ１と、地域情報を記憶する地域情報サーバＳＶ２と、天気情報を記憶する天気情報サーバＳＶ３と、地図サーバＳＶ１、地域情報サーバＳＶ２および天気情報サーバＳＶ３が接続されるＷＷＷサーバＷＳと、所定地域内のアンテナＡ１〜Ａ４を結ぶ移動体通信網Ｎと、各移動体通信網Ｎごとに設けられたアクセスサーバＡＳと、いずれかのアンテナＡ１〜Ａ４に接続される端末装置Ｔとを備える。ＷＷＷサーバＷＳおよびアクセスサーバＡＳは、それぞれインターネットＩＮに接続される。
【００２７】
図２（ａ）に示すように、端末装置ＴはＣＰＵおよび記憶装置等からなる処理部１０と、一次的にデータ等を記憶するメモリ１１と、ユーザに対し画像によって情報を提示するための表示部１３と、ユーザに対し音声によって情報を提示するための音声出力部１４と、インターネットＩＮとの間でのインターフェース処理を含む情報の送受信処理を実行する送受信器１５と、ユーザの入力操作を受付ける入力部１６とを備える。
【００２８】
図２（ｂ）に示すように、ＷＷＷサーバＷＳはＣＰＵおよび記憶装置等からなる処理部２１と、一次的に各データを記憶する記憶部２２と、インターネットＩＮとの間で情報の送受信を実行するインターフェース２３と、地図サーバＳＶ１、地域情報サーバＳＶ２および天気情報サーバＳＶ３との間で情報の送受信を実行するインターフェース２４とを備える。
【００２９】
次に、図３を参照して本発明の情報通信システムの動作について説明する。図３は、天気情報の検索を実行する場合の処理を示すフローチャートである。図３のステップＳ１〜ステップＳ５は端末装置Ｔにおける処理を示し、ステップＳ１１およびステップＳ１２はＷＷＷサーバＷＳにおける処理を示している。端末装置Ｔにおける処理は処理部１０において、ＷＷＷサーバＷＳにおける処理は処理部２１において、それぞれ実行される。
【００３０】
ステップＳ１では、ダイアルアップを行う。この処理は、端末装置Ｔの入力部１６が所定の操作を受付けた場合に開始される。次に、ステップＳ２では送受信器１５を介してアンテナＡ４へのアクセスを実行する。なお、この例では端末装置ＴがアンテナＡ４にアクセスし、アンテナＡ４を介して情報の送受信を行う場合について例示する。
【００３１】
アンテナＡ４を介して情報の送受信が可能となり、端末装置Ｔが移動体通信網Ｎ、アクセスサーバＡＳを介してインターネットＩＮに接続されると、端末装置ＴからＷＷＷサーバＷＳに向けてインターネットＩＮを介して天気情報を要求する。ステップＳ１１として示すように、この要求を受けると、ＷＷＷサーバＷＳはこの要求が送出された端末装置ＴのアクセスポイントがアンテナＡ４であることを示す位置情報を、インターネットＩＮを介してアクセスサーバＡＳから取得する。次に、ステップＳ１２に示すように、ＷＷＷサーバＷＳはインターフェース２４を介して天気情報サーバＳＶ３と交信し、アンテナＡ４が設置された地域の天気情報を天気情報サーバＳＶ３から取得する。この天気情報は、端末装置Ｔの表示部１３に表示すべき検索画面等の画面情報を含んでいる。この場合、検索画面は対応する地域についての天気情報を容易に検索できるように構成される。
【００３２】
ついで、ＷＷＷサーバＷＳは対応する端末装置Ｔに向けて、天気情報サーバＳ３から取得した天気情報を、インターネットＩＮを介して端末装置Ｔに送出する。
【００３３】
ステップＳ３に示すように、端末装置ＴではＷＷＷサーバＷＳから送出された天気情報を受信する。受信された天気情報はメモリ１１に記憶される。次に、ステップＳ４では受信した天気情報に含まれる検索画面の画面情報に従って、表示部１３に検索画面を表示する。この検索画面は、ユーザが天気に関する情報を得たい地域や表示項目等を入力部１６を介して入力できるようにユーザに対し案内するものである。ステップＳ５に示すように、ユーザが検索画面の表示に従って所定の操作を入力部に対し行うと、その操作に従った検索処理が実行され、ユーザの指示に従った情報が表示部１３に表示されて一連の処理が終了する。この際、表示部１３に表示すべき情報はメモリ１１に記憶された天気情報から適宜読み込まれ、表示に利用される。
【００３４】
このように、本実施形態の情報通信システムでは端末装置Ｔのアクセスポイントである、例えばアンテナＡ４が設置された地域の天気情報をＷＷＷサーバＷＳから端末装置Ｔに向けて送出する（ステップＳ１２）。端末装置Ｔではこの天気情報を受信して（ステップＳ３）、この天気情報に含まれる画面情報に従って検索画面の表示を行う（ステップＳ４）。
【００３５】
このため、端末装置Ｔの現在位置にかかわりなく、常に端末装置Ｔの周辺地域の天気情報を得ることができ、しかも端末装置Ｔにはこの地域の天気情報を検索するための検索画面が表示される。したがって、ユーザが現在位置周辺の地図を見たいと思ったときに、容易に必要な地図データを獲得することができる。また、本実施形態では、端末装置Ｔの周辺地域の天気情報のみを端末装置Ｔに向けて送信するので、送信すべきデータ量が減少するので、通信コストを低減できるとともに通信時間を短縮できる。
【００３６】
上記実施形態では、天気情報を要求する場合について例示したが、本発明は地図情報や地域情報等、他の情報に関しても適用でき、取り扱う情報の内容について限定されない。
【００３７】
【発明の効果】
以上説明したように、本発明の情報通信システムによれば、認識されたアクセスポイントが存在する位置に関する情報を端末装置に向けて送信し、端末装置は、送信手段により送信されてきたアクセスポイントが存在する位置に関する情報に応じた制御を実行し、送信手段により送信されてきたアクセスポイントが存在する位置に関する情報に応じた検索画面を表示し、アクセスポイントが存在する位置に関する情報はアクセスポイントに対応する近傍地域の天気情報であり、天気情報は検索画面に相当する検索画面情報を含み、更に検索画面に基づく検索操作に用いられ、検索操作に従った検索処理を実行するので、端末装置を使用する地域にかかわりなく、端末装置では常にその地域に適した処理が実行される。したがって、ユーザに対し煩雑な操作を要求することなく、必要な情報を提供できる。
【図面の簡単な説明】
【図１】本実施形態の情報通信システムの全体構成を示すブロック図。
【図２】端末装置の構成を示すブロック図。
【図３】天気情報の検索を実行する場合の処理を示すフローチャート。
【符号の説明】
１０    処理部（制御手段）
１３    表示部（表示手段）
Ｔ      端末装置
Ａ４    アンテナ（アクセスポイント）
ＩＮ    インターネット（通信ネットワーク）
ＷＳ    ＷＷＷサーバ（認識手段、送信手段）
ＳＶ３  天気情報サーバ（サーバ）
【図１】
0003933903.tif 000002
【図２】
0003933903.tif 000003
【図３】
0003933903.tif 000004